(57)【要約】【課題】  ソフトウェア的な処理によるデジタルズームを提供することで、移動通信端末機の大きさに影響を与えずに肖像画モードやテキストモードを具現し得る小型デジタルカメラのズーム（ｚｏｏｍ）方法を提供しようとする。【解決手段】  設定された撮影モードによって撮影画面の中心検索ラインの領域を検索する過程と、該中心検索ラインを中心に上／下検索ラインを検索して、撮影対象のカラーの平均値及び偏差を抽出する過程と、それら平均値及び偏差に基づいて前記撮影対象の大きさを計算する過程と、該撮影対象の大きさによってズーム比率を設定し、該当比率を適用する過程と、を順次行うことで小型デジタルカメラのズーム処理を行う。【選択図】  図１
2004194333.tif 000002
【特許請求の範囲】
【請求項１】
設定された撮影モードによって撮影画面の中心検索ラインの領域を検索する過程と、
該中心検索ラインを中心に上／下検索ラインを検索して、撮影対象のカラーの平均値及び偏差を抽出する過程と、
それら平均値及び偏差に基づいて前記撮影対象の大きさを計算する過程と、
該撮影対象の大きさによってズーム比率を設定し、該当比率を適用する過程と、
を順次行うことを特徴とする小型デジタルカメラのズーム（ｚｏｏｍ）方法。
【請求項２】
前記中心検索ラインの領域を検索する過程は、
使用者により撮影モードが設定される過程と、
撮影画面を前処理する過程と、
中心検索ラインを設定する過程と、
該中心検索ラインの領域にラインスキャン（ｌｉｎｅ  ｓｃａｎ）を行う過程と、
から構成されることを特徴とする請求項１記載の小型デジタルカメラのズーム方法。
【請求項３】
前記前処理過程は、
撮影画面のエラー発生の可能性を最小化するため、スムージング（ｓｍｏｏｔｈｉｎｇ）技法またはブラーリング（ｂｌｕｒｒｉｎｇ）技法を用いることを特徴とする請求項２記載の小型デジタルカメラのズーム方法。
【請求項４】
前記中心検索ラインは、
撮影画面の真中を包含する横軸で、最初にラインスキャンを行う基準であることを特徴とする請求項１記載の小型デジタルカメラのズーム方法。
【請求項５】
前記撮影対象のカラーの平均値及び偏差を抽出する過程は、
前記中心検索ラインを検索して撮影対象を検出する過程と、
前記中心検索ラインを中心に所定個の上／下検索ラインを検索する過程と、
前記撮影対象のカラーの平均値及び偏差を抽出する過程と、
から構成されることを特徴とする請求項１記載の小型デジタルカメラのズーム方法。
【請求項６】
前記上／下検索ラインを検索する過程は、
前記中心検索ラインを基準として所定間隔で設定された検索ラインを上／下に一ラインずつ交互に移動しながらラインスキャンを行うことを特徴とする請求項５記載の小型デジタルカメラのズーム方法。
【請求項７】
前記撮影対象が検出されないとき、
中心検索ラインを再設定する過程と、
該再設定された中心検索ラインを中心に上／下検索ラインを再設定して検索する過程と、
を順次行うことを特徴とする請求項５記載の小型デジタルカメラのズーム方法。
【請求項８】
前記撮影対象の大きさを計算する過程は、
前記撮影対象のカラーの平均値及び偏差を計算して該撮影対象の大きさを類推する過程と、
前記撮影対象が撮影モードに該当する正常領域であるかを判断する過程と、
から構成されることを特徴とする請求項１記載の小型デジタルカメラのズーム方法。
【請求項９】
前記撮影対象が正常領域でないとき、
使用者が直接ズーム処理を行い得るように使用者受動モードに転換する過程を行うことを特徴とする請求項８記載の小型デジタルカメラのズーム方法。
【請求項１０】
前記ズーム比率は、
前記計算された撮影対象の大きさを基準値と比較して算出することを特徴とする請求項１記載の小型デジタルカメラのズーム方法。
【請求項１１】
前記基準値は、
使用者が初期に受動に設定した値または画面対比によって既設定された値であることを特徴とする請求項１０記載の小型デジタルカメラのズーム方法。
【請求項１２】
設定された撮影モードによって撮影画面を前処理する過程と、
該撮影画面の中心検索ラインを設定し、ラインスキャンを行う過程と、
前記中心検索ラインを中心に所定個の上／下検索ラインを検索する過程と、
撮影対象のカラーの平均値及び偏差を抽出する過程と、
それら平均値及び偏差に基づいて前記撮影対象の大きさを判断し、該撮影対象が正常領域であるかを判断する過程と、
前記計算された撮影対象の大きさを基準値と比較してズーム比率を設定する過程と、
該ズーム比率を前記撮影対象に適用する過程と、
を順次行うことを特徴とする小型デジタルカメラのズーム方法。
【請求項１３】
前記撮影モードは、
肖像画モードとテキストモードとに構成されることを特徴とする請求項１２記載の小型デジタルカメラのズーム方法。
【請求項１４】
前記前処理過程は、
撮影画面のエラー発生の可能性を最小化するため、スムージング技法またはブラーリング技法を用いることを特徴とする請求項１２記載の小型デジタルカメラのズーム方法。
【請求項１５】
前記中心検索ラインは、
撮影画面の真中を包含する横軸で、撮影対象を検出するためラインスキャンを行う基準になることを特徴とする請求項１２記載の小型デジタルカメラのズーム方法。
【請求項１６】
前記撮影対象が検出されないとき、
中心検索ラインを再設定してラインスキャンを行う過程を行うことを特徴とする請求項１５記載の小型デジタルカメラのズーム方法。
【請求項１７】
前記上／下検索ラインを検索する過程は、
前記中心検索ラインを基準として所定間隔で設定された検索ラインを上／下に一ラインずつ交互に移動しながら検索することを特徴とする請求項１２記載の小型デジタルカメラのズーム方法。
【請求項１８】
前記撮影対象が正常領域でないとき、
使用者が直接ズーム処理を行い得るように使用者受動モードに転換する過程を行うことを特徴とする請求項１２記載の小型デジタルカメラのズーム方法。
【請求項１９】
前記基準値は、
使用者が初期に受動に設定した値または画面対比によって既設定された値であることを特徴とする請求項１２記載の小型デジタルカメラのズーム方法。
【請求項２０】
小型デジタルカメラを取付けて写真撮影が可能な移動通信端末機であって、
肖像画モードに選択／設定する過程と、
撮影画面を前処理する過程と、
該撮影画面の中心検索ラインを検索して撮影対象を検出する過程と、
前記中心検索ラインを中心に上／下検索ラインを検索して、前記撮影対象の皮膚色の平均値及び偏差を抽出する過程と、
該皮膚色の平均値及び偏差に基づいて顔領域の大きさを計算する過程と、
該計算された顔領域の大きさを基準値と比較してズーム比率を算出する過程と、
該算出されたズーム比率を前記撮影画面に適用する過程と、
を順次行うことを特徴とする小型デジタルカメラのズーム方法。
【請求項２１】
前記肖像画モードは、
ズーム処理速度によって、一般肖像画モードと高速肖像画モードとに区分されることを特徴とする請求項２０記載の小型デジタルカメラのズーム方法。
【請求項２２】
前記前処理過程は、
スムージング技法及びブラーリング技法を用いることを特徴とする請求項２０記載の小型デジタルカメラのズーム方法。
【請求項２３】
前記中心検索ラインは、
撮影画面の真中に位置することを特徴とする請求項２０記載の小型デジタルカメラのズーム方法。
【請求項２４】
前記撮影対象が検出されないとき、
中心検索ラインを再設定して検索する過程を行うことを特徴とする請求項２０記載の小型デジタルカメラのズーム方法。
【請求項２５】
前記上／下検索ラインを検索する過程は、
前記中心検索ラインを基準として所定間隔で設定された検索ラインを上／下に一ラインずつ交互に移動しながら検索することを特徴とする請求項２０記載の小型デジタルカメラのズーム方法。
【請求項２６】
前記顔領域の大きさを計算する過程は、
一般肖像画モードの場合、皮膚色の平均値から所定偏差内に存在するピクセルの数を算出して顔領域の面積を計算する過程と、
高速肖像画モードの場合、前記上／下検索ラインより細密な間隔を有する検索ラインを通して長さの変化の推移を算出し、最も長い検索ラインの長さを顔の幅として類推する過程と、
から構成されることを特徴とする請求項２０記載の小型デジタルカメラのズーム方法。
【請求項２７】
前記顔領域の大きさを計算する過程は、
前記計算された顔領域が正常的な撮影対象であるかを判断する過程を更に包含して構成されることを特徴とする請求項２０記載の小型デジタルカメラのズーム方法。
【請求項２８】
前記顔領域が正常的な撮影対象でないとき、
使用者が直接ズーム処理を行い得るように使用者受動モードに転換する過程を行うことを特徴とする請求項２７記載の小型デジタルカメラのズーム方法。
【請求項２９】
前記基準値は、
使用者が初期に受動に設定した値または画面対比によって既設定された値であることを特徴とする請求項２０記載の小型デジタルカメラのズーム方法。
【請求項３０】
前記中心検索ラインに所定長さ以上の皮膚色が複数存在し、隣接する上／下検索ラインにも同様な皮膚色パターンが検出されるとき、
撮影対象が複数名存在することで判断し、顔領域として判断される全ての領域に対し、それぞれ皮膚色の平均値及び偏差を抽出する過程と、
各皮膚色の平均値から所定偏差内に存在するピクセルの数を算出して顔領域の面積を計算する過程と、
前記撮影対象の数及び顔領域の大きさに基づいて既設定されたズーム比率で撮影画面をズームする過程と、
を順次行うことを特徴とする請求項２０記載の小型デジタルカメラのズーム方法。
【請求項３１】
小型デジタルカメラを取付けて写真撮影が可能な移動通信端末機であって、
テキストモードに選択／設定する過程と、
撮影画面を前処理する過程と、
該撮影画面を最大にズームしてテキストを最大の大きさに拡大する過程と、
前記撮影画面の中心検索ラインを検索してテキストを検出する過程と、
前記中心検索ラインを中心に上／下検索ラインを検索して、前記テキストの画の厚さの平均値を検出する過程と、
該テキストの画の厚さの平均値に基づいて該テキストの大きさを計算する過程と、
該計算されたテキストの大きさを基準値と比較してズーム比率を算出する過程と、
該算出されたズーム比率を前記撮影画面に適用する過程と、
を順次行うことを特徴とする小型デジタルカメラのズーム方法。
【請求項３２】
前記前処理過程は、
画面のノイズを除去するスムージング技法を行うことを特徴とする請求項３１記載の小型デジタルカメラのズーム方法。
【請求項３３】
前記基準値は、
テキストの可読性を維持する範囲内で、撮影画面に最大限多い文字が出力される大きさであることを特徴とする請求項３１記載の小型デジタルカメラのズーム方法。
【発明の詳細な説明】
【技術分野】
【０００１】
本発明は、小型デジタルカメラのズーム（ｚｏｏｍ）方法に係るもので、詳しくは、肖像画モードやテキストモードのような各撮影モードによって自動ズームを行う、移動通信端末機に取付けられた小型デジタルカメラのズーム方法に関するものである。
【背景技術】
【０００２】
一般に、カメラは、被写体のイメージを使用者の必要に応じて拡大／縮小して撮影し得るようにするズーム（ｚｏｏｍ）機能を有している。且つ、該ズーム機能は、大別して光学ズームとデジタルズームとに区分されるが、前記光学ズームは、実際にカメラのズームレンズが前後に動きながらイメージを拡大／縮小する機能をいい、前記デジタルズームは、補間法を用いてコンピュータ上における距離計算によりイメージを拡大／縮小する機能をいう。
【０００３】
最近、使用者が増加している一般のデジタルカメラは、その基体の大きさに制約がないため前記光学ズームとデジタルズームとを全て採用しており、撮影モードによって自動にズーム処理を行う。
【０００４】
前記自動ズーム処理を行うため、デジタルカメラは、多様な撮影モード（例えば、肖像画、パーティー、夜景、クローズアップ、白黒、逆光、風景及び文書など）を搭載し、撮影環境または被写体によって自動に最適の露出、フォーカス及びホワイトバランスなどを調節する。このとき、前記肖像画モードは、背景を同様なパターンに処理して人物を目立たせ、立体感を与えることで、自然な肖像画写真を撮影するためのモードであり、前記逆光モードは、逆光状態で撮影するとき、人物に影ができないようにするモードであり、前記文書モードは、字または簡単な文書を撮影して保存するとき有用に使用されるモードである。
【０００５】
このような自動ズーム処理を行うため、前記デジタルカメラは、ＴＴＬ（Ｔｈｒｏｕｇｈ  Ｔｈｅ  Ｌｅｎｓ）位相差検出方式、コントラスト（ｃｏｎｔｒａｓｔ）検出方式、音波探知測距方式及び赤外線測距方式などを利用して自動に焦点を調節する。
【０００６】
且つ、前記ＴＴＬ位相差検出方式は、位置が互いに異なる二つの光素子を通して被写体の各光量（電流値）を測定し、該光量の差が最小化されるように焦点を合わせていく方式である。
【０００７】
また、前記コントラスト検出方式は、二つのレンジファインダー（ｒａｎｇｅ  ｆｉｎｄｅｒ）を通して入力される各イメージ間の明暗対比を比較しながら焦点を合わせていく方式であり、前記音波探知測距方式は、超音波を被写体に照射してから戻るまでの時間を利用して距離を計算して焦点を調節する方式である。
【０００８】
また、前記赤外線測距方式は、赤外線被写体に赤外線を照射する光源と前記被写体から反射された反射光を受光する赤外線反応光素子とを利用して、赤外線を前記被写体方向に照射し、該被写体から反射光と照射光とがなす角度から前記被写体までの距離を算出した後、焦点を調節する方式である。
【０００９】
このような自動焦点調節方式を具現するためには、ハードウェア的に距離測定用装置を取付けなければならないが、移動通信端末機に取付けられる小型デジタルカメラは、一般のデジタルカメラに比べて大きさに制約が多いため、使用者の操作による受動のデジタルズーム機能のみが支援されている。
【発明の開示】
【発明が解決しようとする課題】
【００１０】
即ち、このような従来の移動通信端末機の小型デジタルカメラにおいては、一般のデジタルカメラに利用されている自動焦点調節方式が支援されず、受動のデジタルズーム機能のみが支援されるため、自動に多様な撮影モードが提供されないという不都合な点があった。
【００１１】
このように、従来の移動通信端末機の小型デジタルカメラにおいては、大きさの制約のため、ハードウェア的な距離測定用装置を利用して撮影モードによって自動に焦点を調節する機能を具現しにくいという不都合な点があった。
【００１２】
且つ、従来の移動通信端末機の小型デジタルカメラにハードウェア的な距離測定用装置を取付けることは、該当の移動通信端末機の小型化を阻害するだけでなく、装置の追加による原価の上昇を誘発するという不都合な点があった。
【００１３】
本発明は、このような従来の課題に鑑みてなされたもので、移動通信端末機の小型デジタルカメラに、肖像画モードやテキストモードなどのような特殊撮影モードを具現する小型デジタルカメラのズーム方法を提供することを目的とする。
【００１４】
また、本発明の他の目的は、ソフトウェア的に特殊撮影モードを具現することで、ハードウェア的な制約を受けず迅速にズーム処理を行い得るデジタルカメラのズーム方法を提供することにある。
【課題を解決するための手段】
【００１５】
このような目的を達成するため、本発明に係る小型デジタルカメラのズーム方法においては、設定された撮影モードによって撮影画面の中心検索ラインの領域を検索する過程と、該中心検索ラインを中心に上／下検索ラインを検索して、撮影対象のカラーの平均値及び偏差を抽出する過程と、それら平均値及び偏差に基づいて前記撮影対象の大きさを計算する過程と、該撮影対象の大きさによってズーム比率を設定し、該当比率を適用する過程と、を順次行うことを第１特徴とする。
【００１６】
また、本発明に係る小型デジタルカメラのズーム方法においては、設定された撮影モードによって撮影画面を前処理する過程と、該撮影画面の中心検索ラインを設定し、ラインスキャン（ｌｉｎｅ  ｓｃａｎ）を行う過程と、前記中心検索ラインを中心に所定個の上／下検索ラインを検索する過程と、撮影対象のカラーの平均値及び偏差を抽出する過程と、それら平均値及び偏差に基づいて前記撮影対象の大きさを判断し、該撮影対象が正常領域であるかを判断する過程と、前記計算された撮影対象の大きさを基準値と比較してズーム比率を設定する過程と、該ズーム比率を前記撮影対象に適用する過程と、を順次行うことを第２特徴とする。
【００１７】
また、本発明に係る小型デジタルカメラズーム方法においては、小型デジタルカメラを取付けて写真撮影が可能な移動通信端末機であって、肖像画モードに選択／設定する過程と、撮影画面を前処理する過程と、該撮影画面の中心検索ラインを検索して撮影対象を検出する過程と、前記中心検索ラインを中心に上／下検索ラインを検索して、前記撮影対象の皮膚色の平均値及び偏差を抽出する過程と、該皮膚色の平均値及び偏差に基づいて顔領域の大きさを計算する過程と、該計算された顔領域の大きさを基準値と比較してズーム比率を算出する過程と、該算出されたズーム比率を前記撮影画面に適用する過程と、を順次行うことを第３特徴とする。
【００１８】
また、本発明に係る小型デジタルカメラのズーム方法においては、小型デジタルカメラを取付けて写真撮影が可能な移動通信端末機であって、テキストモードに選択／設定する過程と、撮影画面を前処理する過程と、該撮影画面を最大にズームしてテキストを最大の大きさに拡大する過程と、前記撮影画面の中心検索ラインを検索してテキストを検出する過程と、前記中心検索ラインを中心に上／下検索ラインを検索して、前記テキストの画の厚さの平均値を検出する過程と、該テキストの画の厚さの平均値に基づいて前記テキストの大きさを計算する過程と、該計算されたテキストの大きさを基準値と比較してズーム比率を算出する過程と、該算出されたズーム比率を前記撮影画面に適用する過程と、を順次行うことを第４特徴とする。
【００１９】
本発明による小型デジタルカメラのズーム方法は、設定された撮影モードによって撮影画面の中心検索ラインの領域を検索する過程と、該中心検索ラインを中心に上／下検索ラインを検索して、撮影対象のカラーの平均値及び偏差を抽出する過程と、それら平均値及び偏差に基づいて前記撮影対象の大きさを計算する過程と、該撮影対象の大きさによってズーム比率を設定し、該当比率を適用する過程と、を順次行うことを特徴とし、これにより上記目的を達成する。
【００２０】
前記中心検索ラインの領域を検索する過程は、使用者により撮影モードが設定される過程と、撮影画面を前処理する過程と、中心検索ラインを設定する過程と、該中心検索ラインの領域にラインスキャン（ｌｉｎｅ  ｓｃａｎ）を行う過程と、から構成されることを特徴としてもよい。
【００２１】
前記前処理過程は、撮影画面のエラー発生の可能性を最小化するため、スムージング（ｓｍｏｏｔｈｉｎｇ）技法またはブラーリング（ｂｌｕｒｒｉｎｇ）技法を用いることを特徴ととしてもよい。
【００２２】
前記中心検索ラインは、撮影画面の真中を包含する横軸で、最初にラインスキャンを行う基準であることを特徴としてもよい。
【００２３】
前記撮影対象のカラーの平均値及び偏差を抽出する過程は、前記中心検索ラインを検索して撮影対象を検出する過程と、前記中心検索ラインを中心に所定個の上／下検索ラインを検索する過程と、前記撮影対象のカラーの平均値及び偏差を抽出する過程と、から構成されることを特徴としてもよい。
【００２４】
前記上／下検索ラインを検索する過程は、前記中心検索ラインを基準として所定間隔で設定された検索ラインを上／下に一ラインずつ交互に移動しながらラインスキャンを行うことを特徴としてもよい。
【００２５】
前記撮影対象が検出されないとき、中心検索ラインを再設定する過程と、該再設定された中心検索ラインを中心に上／下検索ラインを再設定して検索する過程と、を順次行うことを特徴としてもよい。
【００２６】
前記撮影対象の大きさを計算する過程は、前記撮影対象のカラーの平均値及び偏差を計算して該撮影対象の大きさを類推する過程と、前記撮影対象が撮影モードに該当する正常領域であるかを判断する過程と、から構成されることを特徴としてもよい。
【００２７】
前記撮影対象が正常領域でないとき、使用者が直接ズーム処理を行い得るように使用者受動モードに転換する過程を行うことを特徴としてもよい。
【００２８】
前記ズーム比率は、前記計算された撮影対象の大きさを基準値と比較して算出することを特徴としてもよい。
【００２９】
前記基準値は、使用者が初期に受動に設定した値または画面対比によって既設定された値であることを特徴としてもよい。
【００３０】
本発明による小型デジタルカメラのズーム方法は、設定された撮影モードによって撮影画面を前処理する過程と、該撮影画面の中心検索ラインを設定し、ラインスキャンを行う過程と、前記中心検索ラインを中心に所定個の上／下検索ラインを検索する過程と、撮影対象のカラーの平均値及び偏差を抽出する過程と、それら平均値及び偏差に基づいて前記撮影対象の大きさを判断し、該撮影対象が正常領域であるかを判断する過程と、前記計算された撮影対象の大きさを基準値と比較してズーム比率を設定する過程と、該ズーム比率を前記撮影対象に適用する過程と、を順次行うことを特徴とし、これにより上記目的を達成する。
【００３１】
前記撮影モードは、肖像画モードとテキストモードとに構成されることを特徴としてもよい。
【００３２】
前記前処理過程は、撮影画面のエラー発生の可能性を最小化するため、スムージング技法またはブラーリング技法を用いることを特徴としてもよい。
【００３３】
前記中心検索ラインは、撮影画面の真中を包含する横軸で、撮影対象を検出するためラインスキャンを行う基準になることを特徴としてもよい。
【００３４】
前記撮影対象が検出されないとき、中心検索ラインを再設定してラインスキャンを行う過程を行うことを特徴としてもよい。
【００３５】
前記上／下検索ラインを検索する過程は、前記中心検索ラインを基準として所定間隔で設定された検索ラインを上／下に一ラインずつ交互に移動しながら検索することを特徴としてもよい。
【００３６】
前記撮影対象が正常領域でないとき、使用者が直接ズーム処理を行い得るように使用者受動モードに転換する過程を行うことを特徴としてもよい。
【００３７】
前記基準値は、使用者が初期に受動に設定した値または画面対比によって既設定された値であることを特徴としてもよい。
【００３８】
本発明による小型デジタルカメラのズーム方法は、小型デジタルカメラを取付けて写真撮影が可能な移動通信端末機であって、肖像画モードに選択／設定する過程と、撮影画面を前処理する過程と、該撮影画面の中心検索ラインを検索して撮影対象を検出する過程と、前記中心検索ラインを中心に上／下検索ラインを検索して、前記撮影対象の皮膚色の平均値及び偏差を抽出する過程と、該皮膚色の平均値及び偏差に基づいて顔領域の大きさを計算する過程と、該計算された顔領域の大きさを基準値と比較してズーム比率を算出する過程と、該算出されたズーム比率を前記撮影画面に適用する過程と、を順次行うことを特徴とし、これにより上記目的を達成する。
【００３９】
前記肖像画モードは、ズーム処理速度によって、一般肖像画モードと高速肖像画モードとに区分されることを特徴としてもよい。
【００４０】
前記前処理過程は、スムージング技法及びブラーリング技法を用いることを特徴としてもよい。
【００４１】
前記中心検索ラインは、撮影画面の真中に位置することを特徴としてもよい。
【００４２】
前記撮影対象が検出されないとき、中心検索ラインを再設定して検索する過程を行うことを特徴としてもよい。
【００４３】
前記上／下検索ラインを検索する過程は、前記中心検索ラインを基準として所定間隔で設定された検索ラインを上／下に一ラインずつ交互に移動しながら検索することを特徴としてもよい。
【００４４】
前記顔領域の大きさを計算する過程は、一般肖像画モードの場合、皮膚色の平均値から所定偏差内に存在するピクセルの数を算出して顔領域の面積を計算する過程と、高速肖像画モードの場合、前記上／下検索ラインより細密な間隔を有する検索ラインを通して長さの変化の推移を算出し、最も長い検索ラインの長さを顔の幅として類推する過程と、から構成されることを特徴としてもよい。
【００４５】
前記顔領域の大きさを計算する過程は、前記計算された顔領域が正常的な撮影対象であるかを判断する過程を更に包含して構成されることを特徴としてもよい。
【００４６】
前記顔領域が正常的な撮影対象でないとき、使用者が直接ズーム処理を行い得るように使用者受動モードに転換する過程を行うことを特徴としてもよい。
【００４７】
前記基準値は、使用者が初期に受動に設定した値または画面対比によって既設定された値であることを特徴としてもよい。
【００４８】
前記中心検索ラインに所定長さ以上の皮膚色が複数存在し、隣接する上／下検索ラインにも同様な皮膚色パターンが検出されるとき、撮影対象が複数名存在することで判断し、顔領域として判断される全ての領域に対し、それぞれ皮膚色の平均値及び偏差を抽出する過程と、各皮膚色の平均値から所定偏差内に存在するピクセルの数を算出して顔領域の面積を計算する過程と、前記撮影対象の数及び顔領域の大きさに基づいて既設定されたズーム比率で撮影画面をズームする過程と、を順次行うことを特徴としてもよい。
【００４９】
本発明による小型デジタルカメラのズーム方法は、小型デジタルカメラを取付けて写真撮影が可能な移動通信端末機であって、テキストモードに選択／設定する過程と、撮影画面を前処理する過程と、該撮影画面を最大にズームしてテキストを最大の大きさに拡大する過程と、前記撮影画面の中心検索ラインを検索してテキストを検出する過程と、前記中心検索ラインを中心に上／下検索ラインを検索して、前記テキストの画の厚さの平均値を検出する過程と、該テキストの画の厚さの平均値に基づいて該テキストの大きさを計算する過程と、該計算されたテキストの大きさを基準値と比較してズーム比率を算出する過程と、該算出されたズーム比率を前記撮影画面に適用する過程と、を順次行うことを特徴としてもよい。
【００５０】
前記前処理過程は、画面のノイズを除去するスムージング技法を行うことを特徴としてもよい。
【００５１】
前記基準値は、テキストの可読性を維持する範囲内で、撮影画面に最大限多い文字が出力される大きさであることを特徴としてもよい。
【発明の効果】
【００５２】
本発明に係る小型デジタルカメラのズーム方法においては、肖像画モードやテキストモードが支援されることで、該当の撮影モードでズームを迅速に処理し得るだけでなく、同様な時間に対し連続撮影の効率を向上し得るという効果がある。
【００５３】
また、ソフトウェア的な処理によるデジタルズームを提供することで、移動通信端末機の大きさに影響を与えずに肖像画モードやテキストモードを適用し得るという効果がある。
【００５４】
また、小型家電機器に適用することができるため、製品の付加価値を高め、使用者の満足度を向上し得るという効果がある。
【発明を実施するための最良の形態】
【００５５】
以下、本発明の実施の形態に対し、図面に基づいて説明する。
【００５６】
図１は、本発明に係る小型デジタルカメラの構成を示したブロック図で、図示されたように、本発明に係る小型デジタルカメラにおいては、光学的映像情報を電気的映像情報に変換するイメージセンサ部１０と、該イメージセンサ部１０に映像が結像されるようにする光学レンズ部２０と、前記イメージセンサ部１０の電気的映像情報を処理するプロセッサ３０と、前記光学レンズ部２０にズームレンズを適用して光学ズーム機能を利用する場合、前記ズームレンズを駆動する駆動部４０と、を包含して構成されている。
【００５７】
ここで、前記小型デジタルカメラは、デジタルズームのみを適用して撮影する場合は、前記イメージセンサ部１０、前記光学レンズ部２０及び前記プロセッサ部３０を使用し、光学ズームを利用する場合は、前記駆動部４０まで包含して動作する。
【００５８】
本発明の小型デジタルカメラは、距離を測定する装置を別途に具備せず、前記駆動部を除いた一般のデジタルカメラの構成を同様に使用し、ソフトウェア的なデジタルズームを適用してイメージプロセシングを行うことで、肖像画モードやテキストモードのようなモード設定機能を具現する方法を提案する。
【００５９】
図２は、本発明に係る小型デジタルカメラのズーム方法を示したフローチャートで、図示されたように、本発明に係る小型デジタルカメラのズーム方法においては、設定された撮影モードによって撮影されたイメージを前処理し、中心検索ラインを設定した後、該中心検索ラインの領域を検索する過程（Ｓ１１、Ｓ１２）と、該中心検索ラインを中心に上／下検索ラインを更に検索して、前記イメージのカラーの平均値及び偏差を抽出する過程（Ｓ１３）と、それら平均値及び偏差に基づいて前記イメージの大きさを計算する過程（Ｓ１４）と、該イメージの大きさを該当の撮影モードの基準値と比較してズーム値を決定する過程（Ｓ１５）と、を順次行う。
【００６０】
このとき、前記撮影モードは、肖像画モードとテキストモードとに限定して考える。ここで、前記肖像画モードは、撮影しようとする対象が人の上半身の場合であって、移動通信端末機で証明写真イメージとして使用し得る用途の撮影モードで、前記テキストモードは、文書撮影時、可読性を維持する範囲内で一つの画面に最大限の文字が表示されるようにする撮影モードである。
【００６１】
図３Ａおよび図３Ｂは、本発明に係る肖像画モード及びテキストモードにおける小型デジタルカメラのズーム動作をそれぞれ示したフローチャート、図４は、前記肖像画モードの動作を示した説明図、図５は、前記テキストモードの動作を示した説明図である。
【００６２】
以下、前記肖像画モード及びテキストモードにおいて、ズーム機能を処理する小型デジタルカメラの動作に対し、図３Ａ〜図５に基づいて説明する。
【００６３】
前記肖像画モードは、移動通信端末機の画面に撮影しようとする人の上半身がディスプレーされるように自動ズームするモードであって、入力されたデジタル映像に、スムージング（ｓｍｏｏｔｈｉｎｇ）またはブラーリング（ｂｌｕｒｒｉｎｇ）などの画像処理技法を適用して、撮影画面内での撮影対象の大きさを類推し、これに基づいて自動にデジタルズーム処理を行う。
【００６４】
このとき、前記撮影対象のズーム処理のための撮影画面内での最適の大きさは、移動通信端末機の製作時にデフォルトに設定することもできるし、使用者が設定することもできる。
【００６５】
前記肖像画モードは、ズーム処理速度によって、一般（ｎｏｒｍａｌ）肖像画モードと高速（ｆａｓｔ）肖像画モードとに細分化され、該高速肖像画モードにおいては、撮影対象の顔形状を迅速に判断するための所定アルゴリズムを適用する。
【００６６】
まず、使用者が移動通信端末機のメニューを操作して肖像画モードの一般肖像画モードを設定して撮影する場合（Ｓ１０１、Ｓ１０２）、小型デジタルカメラは、ノイズ及び影などによる撮影画面のエラー発生の可能性を最小化するため前処理過程を行う（Ｓ１０３）。該前処理過程は、スムージングフィルタ（ｓｍｏｏｔｈｉｎｇ  ｆｉｌｔｅｒ）と通して撮影画面に存在する映像ノイズを除去した後、ブラーリング技法により前記撮影対象の顔に形成される鼻／眼鏡などの影の影響を最小化する。このとき、前記ブラーリング技法は、全体画面を所定大きさのウィンドウズ（Ｒ）を利用して平均処理した後、前記全体画面をぼかす処理過程である。
【００６７】
前記前処理された撮影画面は、図４に示したように、所定順序（イ→ロ→ハ→ニ→ホ）に従ってラインスキャンして皮膚色に該当する領域を検索し、該検索が行われたとき、該検索結果に基づいて前記撮影対象の皮膚色の平均値及び偏差、並びに顔領域の大きさを抽出する。このとき、前記抽出された皮膚色の平均値及び偏差は、前記撮影対象の顔領域を判断する基準となる。
【００６８】
即ち、前記肖像画モードで撮影するとき、前記撮影対象は、一般に画面の真中に位置するため、画面の中心（イ）を中心検索ラインに設定し、ラインスキャンする（Ｓ１０４）。該ラインスキャンにより顔として判断される領域が検出されると（Ｓ１０５）、前記中心検索ラインを基準として所定間隔を有する検索ラインを上／下に移動しながら前記顔領域の検索を行い、前記撮影対象の皮膚色の平均値及び偏差を計算する（Ｓ１０６）。前記抽出された皮膚色の平均値及び偏差を利用して、前記平均値から所定偏差以内に分布するピクセルの数をカウントした後、現在撮影された画面内での前記撮影対象の顔領域の面積を計算する（Ｓ１０７）。
【００６９】
このように検索されて抽出された領域が顔形状であるかを判断し（Ｓ１０８）、顔として判断されない場合は、中心検索ラインを再設定し、該中心検索ラインを中心に上／下検索ラインを検索することで、顔領域の面積を計算する過程を繰り返す（Ｓ１０４〜Ｓ１０７）。このとき、前記顔領域を類推する過程を所定回数以上繰り返して検索に失敗する場合、前記小型デジタルカメラは、前記撮影対象が顔でないと判断し、使用者が直接ズームを調節するようにメッセージ処理を行った後、使用者受動モードに転換する。
【００７０】
前記検索されて抽出された領域が顔形状であると判断されると、前記顔領域の面積を画面に対応して既設定された肖像画の大きさと比較した後、ズーム値を決定し（Ｓ１０９）、前記小型デジタルカメラは、前記ズーム値を適用して前記撮影対象をズーム処理する（Ｓ１２２）。
【００７１】
そして、使用者が移動通信端末機のメニューを操作して肖像画モードの高速肖像画モードを設定して撮影する場合（Ｓ１０１、Ｓ１０２）、前記小型デジタルカメラは、前記一般肖像画モードと同様に、撮影画面のエラー発生の可能性を最小化するため前処理過程を行う（Ｓ１１０）。
【００７２】
前記前処理された撮影画面の中央に位置した中心検索ラインをラインスキャンし（Ｓ１１１）、顔領域が包含されたかを判断する（Ｓ１１２）。
【００７３】
前記顔として判断される領域が検出されると、前記中心検索ラインを中心に、前記一般肖像画モードの検索ライン（ロ、ハ、ニ、ホ）より更に細密な間隔を有する検索ライン（ａ、ｂ、ｃ、ｄ、ｅ・・・）を上／下に移動しながら前記顔領域の検索を行う。次いで、該検索結果に基づいて前記撮影対象の皮膚色の平均値及び偏差を計算し、各検索ラインから抽出される顔領域の長さの変化を確認する（Ｓ１１３）。
【００７４】
次いで、前記長さの変化を通して検索された領域が顔形状であるかを判断し（Ｓ１１４）、顔でないと判断される場合は、中心検索ラインを再設定し、該中心検索ラインを中心に細分化された上／下検索ラインを検索して、皮膚色の平均値及び偏差を計算する過程を繰り返す（Ｓ１１１〜Ｓ１１３）。
【００７５】
前記検索された領域が顔形状であると判断されると、各検索ラインの中で最も広い皮膚色領域を有する部分を前記撮影対象の顔の幅として判断し、その検索ラインと使用者が初期に設定した最適の顔の大きさ情報／既設定された肖像画の大きさとを比較した後ズーム値を決定する（Ｓ１１５）。次いで、前記小型デジタルカメラは、前記ズーム値を適用して前記撮影対象をズーム処理する（Ｓ１２２）。
【００７６】
人の顔を包含する写真を撮影する場合、人の顔の大きさに多少差があり得るが、顔内の目、唇及び髪の毛により皮膚色を帯びない面積は人によって大きい差がないため、上述した本発明に係るズーム方法を適用することができる。このとき、前記撮影対象が顔にサングラスを着用するか、またはハゲ頭の場合、顔の大きさが小さくなるか、または大きくなるが、自動ズームが不可能な水準ではなく、撮影背景が撮影対象の皮膚色と同様で自動ズームが不可能な場合は、使用者が認知し得るようにメッセージ処理を行った後、直接ズームを調節し得るように使用者受動モードに転換する。
【００７７】
また、前記肖像画モードの場合、撮影対象が一人でない場合が発生する。このとき、前記撮影対象の数は、検索される皮膚色に基づいて判断する。
【００７８】
前記撮影対象が一人でない場合、即ち、一つの検索ライン上に所定長さ以上の皮膚色が複数存在し、上／下検索ラインにも同様なパターンの皮膚色が検出される場合、前記皮膚色の数を保存する。
【００７９】
顔領域として判断される全ての領域に対し上／下検索ラインを検索して、顔領域の大きさをそれぞれ計算し、各顔領域の大きさが該当の皮膚色の偏差内に分布することを確認した後これらの平均値を求める。
【００８０】
次いで、該平均値を利用して画面内での撮影対象の大きさを類推し、前記撮影対象の数及び顔の大きさに基づいて自動ズーム処理を行うことで、一つの画面内に二人以上の撮影対象が存在する場合も肖像画モードが可能になる。
【００８１】
以下、テキストモードにおいて、小型デジタルカメラを取付けた移動通信端末機のズーム方法に対し、図３Ｂに基づいて説明する。
【００８２】
一般に、前記テキストモードは、撮影対象の背景が白色でテキストが黒色である。前記撮影対象の背景色及びテキスト色が白色及び黒色でない場合もテキスト検索は可能であるが、前記背景色及びテキスト色が明確な対比をなす場合検索効率が高まることは、他の文書判読装置においても同様である。
【００８３】
従って、小型デジタルカメラが文書を撮影する場合、色の対比を通してテキストの存在を判別することができるが、撮影対象のテキストが何の字であるかを判別するためには、各字の画の厚さが少なくても１ｐｉｘｅｌ以上の厚さを有するようにズーム処理を行わなければならない。このとき、前記テキストの画の厚さは１ｐｉｘｅｌに固定されず、使用者が希望する大きさに設定することもできる。
【００８４】
図３Ｂに示したように、使用者が移動通信端末機の所定メニューを操作してテキストモードで文書を撮影する場合（Ｓ１０１）、撮影画面のエラー発生の可能性を最小化するため前処理過程を行う（Ｓ１１６）。このとき、前記テキストモードの前処理過程は、スムージングフィルタを通して撮影画面に存在する映像ノイズを除去するスムージング過程のみを行う。
【００８５】
前記前処理された撮影画面を最大にズームさせてテキストを最大の大きさにし（Ｓ１１７）、上述した肖像画モードと同様に、中心検索ライン（イ）を設定し、該中心検索ラインを中心にラインスキャンを行う（Ｓ１１８）。
【００８６】
前記検索結果からテキスト列として判断される領域が検出されると（Ｓ１１９）、図５に示したように、前記中心検索ライン（イ）を基準として所定間隔を有する検索ライン（ａ、ｂ、ｃ、ｄ、ｅ・・・）を上／下に移動しながらテキスト領域を検索した後、テキストの画のピクセルの平均値を検出する（Ｓ１２０）。
【００８７】
前記検出されたテキストの画の平均値を使用者が設定した値または既設定された基準値と比較してズーム比率を決定し（Ｓ１２１）、前記小型デジタルカメラは、前記ズーム比率を適用して前記撮影対象をズーム処理する（Ｓ１２２）。このとき、前記基準値は、テキストの画の幅を１ｐｉｘｅｌに設定して、一つの画面内に最大限のテキストが包含されるようにする値である。
【００８８】
以上説明したように、本発明に係る小型デジタルカメラのズーム方法においては、肖像画モードやテキストモードが支援されることで、該当の撮影モードでズームを迅速に処理し得るだけでなく、同様な時間に対し連続撮影の効率を向上し得るという効果がある。
【００８９】
また、ソフトウェア的な処理によるデジタルズームを提供することで、移動通信端末機の大きさに影響を与えずに肖像画モードやテキストモードを適用し得るという効果がある。
【００９０】
また、小型家電機器に適用することができるため、製品の付加価値を高め、使用者の満足度を向上し得るという効果がある。
【００９１】
ソフトウェア的な処理によるデジタルズームを提供することで、移動通信端末機の大きさに影響を与えずに肖像画モードやテキストモードを具現し得る小型デジタルカメラのズーム（ｚｏｏｍ）方法を提供しようとする。
【００９２】
設定された撮影モードによって撮影画面の中心検索ラインの領域を検索する過程と、該中心検索ラインを中心に上／下検索ラインを検索して、撮影対象のカラーの平均値及び偏差を抽出する過程と、それら平均値及び偏差に基づいて前記撮影対象の大きさを計算する過程と、該撮影対象の大きさによってズーム比率を設定し、該当比率を適用する過程と、を順次行うことで小型デジタルカメラのズーム処理を行う。
【００９３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００９４】
【図１】本発明に係る小型デジタルカメラの構成を示したブロック図である。
【図２】本発明に係る小型デジタルカメラのズーム方法を示したフローチャートである。
【図３Ａ】図３Ａは、本発明に係る肖像画モード及びテキストモードにおける小型デジタルカメラのズーム動作をそれぞれ示したフローチャートである。
【図３Ｂ】図３Ｂは、本発明に係る肖像画モード及びテキストモードにおける小型デジタルカメラのズーム動作をそれぞれ示したフローチャートである。
【図４】本発明に係る肖像画モードの動作を示した説明図である。
【図５】本発明に係るテキストモードの動作を示した説明図である。
【符号の説明】
【００９５】
１０  イメージセンサ部
２０  光学レンズ部
３０  プロセッサ
４０  駆動部
【図１】
2004194333.tif 000003
【図２】
2004194333.tif 000004
【図３Ａ】
2004194333.tif 000005
【図３Ｂ】
2004194333.tif 000006
【図４】
2004194333.tif 000007
【図５】
2004194333.tif 000008